(57)【要約】【課題】包装硬貨を用いた両替を容易に、かつ厳正に実施すること。【解決手段】装置本体に対して開放した場合に包装硬貨の出し入れが可能となる包装硬貨収納庫と、包装硬貨収納庫において包装硬貨の有無を検出する包装硬貨鑑別センサと、係合状態となった場合に装置本体に対して包装硬貨収納庫を閉塞した状態に保持する係合手段とを備え、制御手段は、モード切替操作が入力された場合、投入口を介した貨幣の投入に伴って係合手段を解除し、かつ包装硬貨鑑別センサを通じて包装硬貨収納庫を監視し、投入口を介して投入された貨幣の入金額と包装硬貨収納庫から取り出された包装硬貨の出金額とが不一致の状態にある場合に係合手段を無効化する。【選択図】        図１３
2010039585.tif 000002
【特許請求の範囲】
【請求項１】
装置本体の内部に本体収納庫を有し、投入口を介して貨幣が投入された場合にこれを鑑別して本体収納庫に収納する一方、出金指令が与えられた場合にはこの出金指令に該当する金額の貨幣を本体収納庫から出金口を介して装置本体の外部に払い出す制御手段を備えた金銭処理装置において、
予め設定した複数枚の硬貨を定形に包装して成る包装硬貨を収納対象とし、装置本体に対して開閉可能、かつ前記装置本体に対して開放した場合に包装硬貨の出し入れが可能となる包装硬貨収納庫と、
前記包装硬貨収納庫において包装硬貨の有無を検出する包装硬貨検出手段と、
有効化した状態で前記装置本体に対して包装硬貨収納庫を閉塞した場合に係合可能となり、係合状態となった場合に前記装置本体に対して前記包装硬貨収納庫を閉塞した状態に保持する係合手段と
を備え、前記制御手段は、所定の単体動作指令が与えられた場合、前記投入口を介した貨幣の投入に伴って前記係合手段による装置本体と包装硬貨収納庫との係合状態を解除し、かつ前記包装硬貨検出手段を通じて前記包装硬貨収納庫を監視し、前記投入口を介して投入された貨幣の入金額と前記包装硬貨収納庫から取り出された包装硬貨の出金額とが不一致の状態にある場合にこれを外部に報知することを特徴とする金銭処理装置。
【請求項２】
装置本体の内部に本体収納庫を有し、投入口を介して貨幣が投入された場合にこれを鑑別して本体収納庫に収納する一方、出金指令が与えられた場合にはこの出金指令に該当する金額の貨幣を本体収納庫から出金口を介して装置本体の外部に払い出す制御手段を備えた金銭処理装置において、
予め設定した複数枚の硬貨を定形に包装して成る包装硬貨を収納対象とし、装置本体に対して開閉可能、かつ前記装置本体に対して開放した場合に包装硬貨の出し入れが可能となる包装硬貨収納庫と、
前記包装硬貨収納庫において包装硬貨の有無を検出する包装硬貨検出手段と、
有効化した状態で前記装置本体に対して包装硬貨収納庫を閉塞した場合に係合可能となり、係合状態となった場合に前記装置本体に対して前記包装硬貨収納庫を閉塞した状態に保持する係合手段と、
前記制御手段からの表示指令に従って外部表示を行う表示手段と、
前記制御手段に対して選択指令を与える選択入力手段と
を備え、前記制御手段は、所定の単体動作指令が与えられた場合、包装硬貨と包装硬貨との等価払い出しを行う包装硬貨両替処理を選択するための選択情報を前記表示手段に表示し、
前記選択入力手段を介して包装硬貨両替処理が選択された場合、前記係合手段による装置本体と包装硬貨収納庫との係合状態を解除し、かつ前記包装硬貨検出手段を通じて前記包装硬貨収納庫を監視し、
さらに前記包装硬貨収納庫が閉塞された時点で開放時点からの包装硬貨の入金額及び出金額を算出し、これら入金額と出金額とが不一致の状態にある場合にこれを外部に報知することを特徴とする金銭処理装置。
【請求項３】
前記制御手段は、前記入金額と前記出金額とが不一致の状態にある場合、前記係合手段を無効化することによってこれを報知することを特徴とする請求項１または請求項２に記載の金銭処理装置。
【請求項４】
前記装置本体と前記包装硬貨収納庫との間に介在し、前記係合手段による装置本体と包装硬貨収納庫との係合状態が解除されている場合に、前記装置本体に対して前記包装硬貨収納庫を押圧することにより該包装硬貨収納庫を開放した状態に保持する押圧手段を備えることを特徴とする請求項３に記載の金銭処理装置。
【請求項５】
前記制御手段からの出力指令に応じて外部に出力を行う出力手段を備え、
前記制御手段は、前記入金額と前記出金額とが不一致の状態にある場合、前記出力手段から出力を行うことによってこれを報知することを特徴とする請求項１または請求項２に記載の金銭処理装置。
【請求項６】
前記出力手段は、前記制御手段からの表示指令に従って外部に数値表示を行う数値表示手段を備え、
前記制御手段は、前記入金額と前記出金額とが不一致の状態にある場合、前記数値表示手段に入金額と出金額との差額を数値表示することを特徴とする請求項５に記載の金銭処理装置。
【請求項７】
前記制御手段は、入金もしくは出金を検出した場合には前記数値表示手段の表示を更新することを特徴とする請求項６に記載の金銭処理装置。
【請求項８】
前記出力手段は、前記制御手段からの表示指令に従って外部表示を行う表示手段を備え、
前記制御手段は、前記入金額と前記出金額とが不一致の状態にある場合にその原因を前記表示手段に表示することを特徴とする請求項５に記載の金銭処理装置。
【請求項９】
前記制御手段は、開放された包装硬貨収納庫が前記装置本体に対して閉塞された場合、前記包装硬貨検出手段を通じて開放時点から閉塞時点までの出金額を算出し、該算出した出金額がゼロの場合には入金額に対応する貨幣を前記出金口から払い出すことを特徴とする請求項１または請求項２に記載の金銭処理装置。
【請求項１０】
前記制御手段は、開放された包装硬貨収納庫が前記装置本体に対して閉塞された場合、前記包装硬貨検出手段を通じて開放時点から閉塞時点までの出金額を算出するとともに、この算出した出金額と入金額とを比較し、出金額が小さい場合には前記入金額との差額に相当する貨幣を前記出金口から払い出すことを特徴とする請求項１または請求項２に記載の金銭処理装置。
【請求項１１】
前記制御手段は、前記包装硬貨収納庫から取り出された包装硬貨の出金額と前記出金口から払い出した貨幣の出金額との合計が前記入金額に一致した場合、外部に対する報知を停止するための処理を実施することを特徴とする請求項９または請求項１０に記載の金銭処理装置。
【請求項１２】
前記制御手段からの表示指令に従って外部表示を行う表示手段と、
前記制御手段に対して選択指令を与える選択入力手段と
をさらに備え、前記制御手段は、所定の単体動作指令が与えられた場合、包装硬貨から高額金種への等価払い出しを行う逆両替処理を選択するための選択情報を前記表示手段に表示し、
前記選択入力手段を介して逆両替処理が選択された場合、前記係合手段による装置本体と包装硬貨収納庫との係合状態を解除し、かつ前記包装硬貨検出手段を通じて前記包装硬貨収納庫を監視し、
さらに前記包装硬貨収納庫が閉塞された時点で開放時点からの包装硬貨による入金額を算出し、この算出した入金額に対応する貨幣を前記出金口から払い出すことを特徴とする請求項１または請求項２に記載の金銭処理装置。
【発明の詳細な説明】
【技術分野】
【０００１】
本発明は、ＰＯＳ（Ｐｏｉｎｔ  Ｏｆ  Ｓａｌｅｓ）レジスタ等の外部機器に接続され、投入口を介して貨幣が投入された場合にこれを鑑別して本体収納庫に収納する一方、外部機器から出金指令が与えられた場合にはこの出金指令に該当する金額の貨幣を本体収納庫から出金口を介して装置本体の外部に払い出す制御手段を備えた金銭処理装置に関するもので、特に、予め設定した複数枚の硬貨を定形に包装して成る包装硬貨を取り扱うことのできる金銭処理装置に関する。
【背景技術】
【０００２】
この種の従来技術としては、例えば特許文献１に記載のものが既に提供されている。この金銭処理装置は、ＰＯＳレジスタに釣銭機として接続されたものである。通常において金銭処理装置は、買い物客から受け取った貨幣を投入口から投入した場合、これを鑑別して本体収納庫に収納する一方、ＰＯＳレジスタからの出金指令に従って本体収納庫から出金口を介して釣銭となる貨幣の払い出しを行う。
【０００３】
また、この金銭処理装置には、包装硬貨を収納するための包装硬貨収納庫が設けられている。この包装硬貨収納庫は、装置本体に対して開閉可能に設けられたもので、利用者によって所定の指令が与えられた場合に装置本体から引き出され、その内部に包装硬貨を収納することが可能となる。
【０００４】
包装硬貨を収納した後に、包装硬貨収納庫を装置本体に対して閉塞させると、金銭処理装置は、新たに収納された包装硬貨の金種及び本数を検出し、この包装硬貨の入金額と等価となる貨幣を本体収納庫から出金口を介して払い出す。
【０００５】
【特許文献１】特開２００７−２３３９２０号公報
【発明の開示】
【発明が解決しようとする課題】
【０００６】
ところで、スーパーマーケット等の比較的規模の大きい店舗においては、複数台のＰＯＳレジスタが隣接して設けられている場合が多々ある。こうした状況下では、一方のＰＯＳレジスタに接続された金銭処理装置において払い出すべき釣銭が不足した場合、他方のＰＯＳレジスタに接続された金銭処理装置との間で適宜両替を行っているのが実情である。
【０００７】
こうしたＰＯＳレジスタに接続された金銭処理装置相互間の両替においてもこれを厳正に行うことが、収支を管理する上でも好ましいのはいうまでもない。しかしながら、包装硬貨を用いた金銭処理装置相互間の両替は、人手を介した操作となるため、上述した金銭処理装置を適用した場合であってもミスが発生しないとはいえない。特に、包装硬貨収納庫から包装硬貨を取り出す操作が必要となる両替操作においては、計算間違いや記憶違い等の要因により、包装硬貨の取り出し本数にミスが発生し易く、収支が合わない事態を招来する恐れが高い。
【０００８】
尚、上述した問題は、ＰＯＳレジスタに接続した金銭処理装置相互間の両替に限らず、包装硬貨を用いた両替には同様に起こり得るものである。
【０００９】
本発明は、上記実情に鑑みて、包装硬貨を用いた両替を容易に、かつ厳正に実施し得る金銭処理装置を提供することを目的とする。
【課題を解決するための手段】
【００１０】
上記目的を達成するため、本発明の請求項１に係る金銭処理装置は、装置本体の内部に本体収納庫を有し、投入口を介して貨幣が投入された場合にこれを鑑別して本体収納庫に収納する一方、出金指令が与えられた場合にはこの出金指令に該当する金額の貨幣を本体収納庫から出金口を介して装置本体の外部に払い出す制御手段を備えた金銭処理装置において、予め設定した複数枚の硬貨を定形に包装して成る包装硬貨を収納対象とし、装置本体に対して開閉可能、かつ前記装置本体に対して開放した場合に包装硬貨の出し入れが可能となる包装硬貨収納庫と、前記包装硬貨収納庫において包装硬貨の有無を検出する包装硬貨検出手段と、有効化した状態で前記装置本体に対して包装硬貨収納庫を閉塞した場合に係合可能となり、係合状態となった場合に前記装置本体に対して前記包装硬貨収納庫を閉塞した状態に保持する係合手段とを備え、前記制御手段は、所定の単体動作指令が与えられた場合、前記投入口を介した貨幣の投入に伴って前記係合手段による装置本体と包装硬貨収納庫との係合状態を解除し、かつ前記包装硬貨検出手段を通じて前記包装硬貨収納庫を監視し、前記投入口を介して投入された貨幣の入金額と前記包装硬貨収納庫から取り出された包装硬貨の出金額とが不一致の状態にある場合にこれを外部に報知することを特徴とする。
【００１１】
また、本発明の請求項２に係る金銭処理装置は、装置本体の内部に本体収納庫を有し、投入口を介して貨幣が投入された場合にこれを鑑別して本体収納庫に収納する一方、出金指令が与えられた場合にはこの出金指令に該当する金額の貨幣を本体収納庫から出金口を介して装置本体の外部に払い出す制御手段を備えた金銭処理装置において、予め設定した複数枚の硬貨を定形に包装して成る包装硬貨を収納対象とし、装置本体に対して開閉可能、かつ前記装置本体に対して開放した場合に包装硬貨の出し入れが可能となる包装硬貨収納庫と、前記包装硬貨収納庫において包装硬貨の有無を検出する包装硬貨検出手段と、有効化した状態で前記装置本体に対して包装硬貨収納庫を閉塞した場合に係合可能となり、係合状態となった場合に前記装置本体に対して前記包装硬貨収納庫を閉塞した状態に保持する係合手段と、前記制御手段からの表示指令に従って外部表示を行う表示手段と、前記制御手段に対して選択指令を与える選択入力手段とを備え、前記制御手段は、所定の単体動作指令が与えられた場合、包装硬貨と包装硬貨との等価払い出しを行う包装硬貨両替処理を選択するための選択情報を前記表示手段に表示し、前記選択入力手段を介して包装硬貨両替処理が選択された場合、前記係合手段による装置本体と包装硬貨収納庫との係合状態を解除し、かつ前記包装硬貨検出手段を通じて前記包装硬貨収納庫を監視し、さらに前記包装硬貨収納庫が閉塞された時点で開放時点からの包装硬貨の入金額及び出金額を算出し、これら入金額と出金額とが不一致の状態にある場合にこれを外部に報知することを特徴とする。
【００１２】
また、本発明の請求項３に係る金銭処理装置は、上述した請求項１または請求項２において、前記制御手段は、前記入金額と前記出金額とが不一致の状態にある場合、前記係合手段を無効化することによってこれを報知することを特徴とする。
【００１３】
また、本発明の請求項４に係る金銭処理装置は、上述した請求項３において、前記装置本体と前記包装硬貨収納庫との間に介在し、前記係合手段による装置本体と包装硬貨収納庫との係合状態が解除されている場合に、前記装置本体に対して前記包装硬貨収納庫を押圧することにより該包装硬貨収納庫を開放した状態に保持する押圧手段を備えることを特徴とする。
【００１４】
また、本発明の請求項５に係る金銭処理装置は、上述した請求項１または請求項２において、前記制御手段からの出力指令に応じて外部に出力を行う出力手段を備え、前記制御手段は、前記入金額と前記出金額とが不一致の状態にある場合、前記出力手段から出力を行うことによってこれを報知することを特徴とする。
【００１５】
また、本発明の請求項６に係る金銭処理装置は、上述した請求項５において、前記出力手段は、前記制御手段からの表示指令に従って外部に数値表示を行う数値表示手段を備え、前記制御手段は、前記入金額と前記出金額とが不一致の状態にある場合、前記数値表示手段に入金額と出金額との差額を数値表示することを特徴とする。
【００１６】
また、本発明の請求項７に係る金銭処理装置は、上述した請求項６において、前記制御手段は、入金もしくは出金を検出した場合には前記数値表示手段の表示を更新することを特徴とする。
【００１７】
また、本発明の請求項８に係る金銭処理装置は、上述した請求項５において、前記出力手段は、前記制御手段からの表示指令に従って外部表示を行う表示手段を備え、前記制御手段は、前記入金額と前記出金額とが不一致の状態にある場合にその原因を前記表示手段に表示することを特徴とする。
【００１８】
また、本発明の請求項９に係る金銭処理装置は、上述した請求項１または請求項２において、前記制御手段は、開放された包装硬貨収納庫が前記装置本体に対して閉塞された場合、前記包装硬貨検出手段を通じて開放時点から閉塞時点までの出金額を算出し、該算出した出金額がゼロの場合には入金額に対応する貨幣を前記出金口から払い出すことを特徴とする。
【００１９】
また、本発明の請求項１０に係る金銭処理装置は、上述した請求項１または請求項２において、前記制御手段は、開放された包装硬貨収納庫が前記装置本体に対して閉塞された場合、前記包装硬貨検出手段を通じて開放時点から閉塞時点までの出金額を算出するとともに、この算出した出金額と入金額とを比較し、出金額が小さい場合には前記入金額との差額に相当する貨幣を前記出金口から払い出すことを特徴とする。
【００２０】
また、本発明の請求項１１に係る金銭処理装置は、上述した請求項９または請求項１０において、前記制御手段は、前記包装硬貨収納庫から取り出された包装硬貨の出金額と前記出金口から払い出した貨幣の出金額との合計が前記入金額に一致した場合、外部に対する報知を停止するための処理を実施することを特徴とする。
【００２１】
また、本発明の請求項１２に係る金銭処理装置は、上述した請求項１または請求項２において、前記制御手段からの表示指令に従って外部表示を行う表示手段と、前記制御手段に対して選択指令を与える選択入力手段とをさらに備え、前記制御手段は、所定の単体動作指令が与えられた場合、包装硬貨から高額金種への等価払い出しを行う逆両替処理を選択するための選択情報を前記表示手段に表示し、前記選択入力手段を介して逆両替処理が選択された場合、前記係合手段による装置本体と包装硬貨収納庫との係合状態を解除し、かつ前記包装硬貨検出手段を通じて前記包装硬貨収納庫を監視し、さらに前記包装硬貨収納庫が閉塞された時点で開放時点からの包装硬貨による入金額を算出し、この算出した入金額に対応する貨幣を前記出金口から払い出すことを特徴とする。
【発明の効果】
【００２２】
本発明によれば、入金額と出金額とが不一致の状態にある場合、係合手段の無効化や出力手段による出力等によって報知される。従って、例えば包装硬貨収納庫から包装硬貨を取り出す本数を間違える等のミスをしても、これを直ちに認識して修正することができ、包装硬貨を用いた両替を容易に、かつ厳正に実施することが可能となる。
【発明を実施するための最良の形態】
【００２３】
以下に添付図面を参照して、本発明に係る金銭処理装置の好適な実施の形態について詳細に説明する。尚、以下においては、高額金種から低額金種への等価払い出しを順両替と称する一方、低額金種から高額金種への等価払い出しを逆両替と称し、単に両替と称した場合には順両替及び逆両替の双方を含むものとして説明を行う。
【００２４】
図１−１及び図１−２は、本発明の実施の形態である金銭処理装置の外観を概念的に示したものである。ここで例示する金銭処理装置は、スーパーマーケット等の店舗においてＰＯＳレジスタ等の外部機器に接続される釣銭機として用いられるもので、直方体状を成す装置本体１を備えている。
【００２５】
装置本体１は、横巾及び奥行寸法に対して高さ寸法を小さく構成した比較的薄型のもので、その前方部に硬貨投入口１１、硬貨出金口１２、紙幣投入口２１、紙幣出金口２２を有している。
【００２６】
硬貨投入口１１は、投入された硬貨を装置本体１の内部に受け入れるための開口であり、装置本体１の上面に設けてある。硬貨投入口１１から投入された硬貨は、図示せぬ硬貨搬送機構によって搬送され、かつ図示せぬ硬貨鑑別センサによって金種が鑑別された後、金種別に硬貨収納庫（本体収納庫）１０に収納されることになる。硬貨出金口１２は、硬貨収納庫１０から払い出された硬貨を装置本体１の外部に排出するための開口であり、装置本体１の前面に設けた受け皿１３の上方部に設けてある。
【００２７】
紙幣投入口２１は、投入された紙幣を装置本体１の内部に受け入れるための開口であり、装置本体１の前面に設けてある。紙幣投入口２１から投入された紙幣は、図示せぬ紙幣搬送機構によって搬送され、かつ図示せぬ紙幣鑑別センサによって金種が鑑別された後、金種別に紙幣収納庫（本体収納庫）２０に収納されることになる。紙幣出金口２２は、紙幣収納庫２０から払い出された紙幣を装置本体１の外部に排出するための開口であり、装置本体１の前面において紙幣投入口２１よりも下方となる部位に設けてある。
【００２８】
図１−１及び図１−２からも明らかなように、本実施の形態では、硬貨収納庫１０及び紙幣収納庫２０が別個に用意してあり、装置本体１の内部に並設してある。
【００２９】
また、装置本体１の前方部上面には、表示手段３０及び入力手段４０が設けてある。表示手段３０は、利用者に対して各種表示を行うためのものである。本実施の形態では、図２に示すように、数値表示部３１及び文字表示部３２を備えた表示手段３０を適用している。数値表示部３１は、数字を表示することのできる７セグメント表示器を左右方向に沿って複数並設することにより構成したものである。７セグメント表示器の数は、金銭処理装置で取り扱う金種に対応したものである。本実施の形態では、正面向かって左側から１００００円紙幣、５０００円紙幣、１０００円紙幣、５００円硬貨、１００円硬貨、５０円硬貨、１０円硬貨、５円硬貨、１円硬貨に対応した９個の７セグメント表示器によって数値表示部３１が構成してある。文字表示部３２は、文字を表示することのできる矩形状のドットマトリックス表示器によって構成したもので、数値表示部３１よりも手前側となる部位に配設してある。入力手段４０は、利用者が各種指令を入力するためのものである。本実施の形態では、３×４＝１２個の押ボタンスイッチによって入力手段４０が構成してある。これらの押ボタンスイッチには、例えば表示内容を上下にスクロールさせるための「△」スイッチ４１及び「▽」スイッチ４２、指令を出力するための「実行」スイッチ４３、指令を取り消すための「取消」スイッチ４４等々、各種機能スイッチが用意してある。尚、それぞれの機能スイッチには、一つずつ数字が割り当ててあり、数値を入力することも可能である。
【００３０】
一方、上記金銭処理装置には、図１−１及び図１−２に示すように、装置本体１の下方部に包装硬貨収納庫５０が設けてある。包装硬貨収納庫５０は、図３に示すように、同一金種の硬貨を複数枚重ね合わせ、これを樹脂フィルムによって包装した円柱状を成す包装硬貨を収納するためのもので、上面が開口した箱状を成している。包装硬貨収納庫５０の内部には、包装硬貨を金種別に収納するための半円筒状の収納溝５１が複数形成してあり、さらに各収納溝５１には、収納された包装硬貨の金種を鑑別する包装硬貨鑑別センサ（包装硬貨検出手段）５２が配設してある。この包装硬貨収納庫５０は、前後方向にスライドさせることにより装置本体１に対して開閉可能に配設してある。すなわち、装置本体１に対して手前側に引き出した場合には、上面の開口が外部に露出し、個々の収納溝５１に対して包装硬貨を出し入れすることが可能となる。一方、装置本体１に対して押し入れ、包装硬貨収納庫５０を閉塞位置に配置させた場合、上面の開口が閉塞し、包装硬貨を出し入れすることができない状態となる。
【００３１】
図４−１及び図４−２に示すように、包装硬貨収納庫５０と装置本体１の間には、係合手段６０、押圧手段７０及び開閉検知センサ８０が設けてある。
【００３２】
係合手段６０は、装置本体１に対して包装硬貨収納庫５０を押し入れて閉塞した場合に係合可能となり、係合状態となった場合に装置本体１に対して包装硬貨収納庫５０を閉塞した状態に保持するものである。本実施の形態では、包装硬貨収納庫５０の背面に固定フック６１を設ける一方、装置本体１において包装硬貨収納庫５０の背面に対向する部位に可動フック６２を配設し、固定フック６１及び可動フック６２を互いに係合させた場合に包装硬貨収納庫５０を閉塞した状態に保持する係合手段６０を適用している。固定フック６１は、包装硬貨収納庫５０の背面から後方に向けて延在し、その延在端部に係合部６１ａを有したもので、包装硬貨収納庫５０に固定してある。これに対して可動フック６２は、装置本体１から前方に向けて延在したもので、鉛直方向に沿った軸心回りに揺動可能に配設してある。この可動フック６２は、一方側に揺動して係合位置に配置された場合に先端部の係合部６２ａを介して固定フック６１の係合部６１ａに係合可能となる一方、他方側に揺動して非係合位置に配置された場合に固定フック６１との係合状態を解除することが可能である。
【００３３】
この可動フック６２には、フックバネ６３及び係合用電磁ソレノイド６４が連係してある。フックバネ６３は、可動フック６２と装置本体１との間に介在し、可動フック６２が常時係合位置となるように弾性力を付与するものである。係合用電磁ソレノイド６４は、励磁した場合にフックバネ６３の弾性力に抗して可動フック６２を非係合位置に移動させるものである。係合用電磁ソレノイド６４が消磁状態にある場合には、フックバネ６３の弾性力により可動フック６２が係合位置に配置されることになる。
【００３４】
押圧手段７０は、装置本体１において包装硬貨収納庫５０の背面に対向する部位に配設したコイルスプリングである。この押圧手段７０は、装置本体１に対して包装硬貨収納庫５０を押し入れた場合に弾性的に変形し、その弾性復元力により包装硬貨収納庫５０を前方に向けて押圧する機能を有している。
【００３５】
開閉検知センサ８０は、包装硬貨収納庫５０が閉塞位置にあるか否かを検出するもので、装置本体１に配設してある。
【００３６】
図５は、上述した金銭処理装置の制御系を示すブロック図である。図５に示す制御手段１００は、入力手段４０を通じて指令が与えられた場合、あるいは硬貨鑑別センサ１５、紙幣鑑別センサ２５、包装硬貨鑑別センサ５２、開閉検知センサ８０から検出信号が与えられた場合、メモリ１１０に格納したプログラムや初期データに基づいて表示手段３０の表示制御、ブザー（出力手段）９０の鳴動制御、硬貨搬送機構１６の駆動制御、紙幣搬送機構２６の駆動制御、係合用電磁ソレノイド６４の駆動制御を行うものである。図からも明らかなように、制御手段１００は、通信制御部１０１、表示制御部１０２、入力制御部１０３、搬送制御部１０４、入出金管理部１０５、メニュー管理部１０６、等価判定部１０７、開閉制御部１０８、報知出力制御部１０９を有している。
【００３７】
通信制御部１０１は、通信インターフェース１１２を介して接続されたＰＯＳレジスタ２００との間においてデータの送受信制御を行うものである。表示制御部１０２は、表示手段３０に対して表示指令を与えることによって表示手段３０に所望の表示を行う等、表示手段３０の表示制御を行うものである。入力制御部１０３は、入力手段４０が操作された場合にこれに対応する指令を各部に与えるものである。搬送制御部１０４は、硬貨搬送機構１６、紙幣搬送機構２６の駆動を制御するものである。例えば、硬貨投入口１１及び紙幣投入口２１から貨幣が投入された場合、これを装置本体１の内部に取り込んだ後、硬貨鑑別センサ１５や紙幣鑑別センサ２５の鑑別結果に従って該当する金種の収納庫１０，２０，５０に貨幣を収納するように硬貨搬送機構１６や紙幣搬送機構２６の駆動制御を行う。入出金管理部１０５は、硬貨鑑別センサ１５、紙幣鑑別センサ２５及び包装硬貨鑑別センサ５２を監視し、これらの鑑別センサ１５，２５，５２によって検出される入出金額と、予めメモリ１１０に格納された硬貨収納庫１０、紙幣収納庫２０、包装硬貨収納庫５０の初期収納金額とから現在のそれぞれの収納庫１０，２０，５０に対する貨幣の収納金額を管理するものである。また、この入出金管理部１０５は、ＰＯＳレジスタ２００から出金指令が与えられた場合、出金指令に対応した貨幣を硬貨出金口１２及び紙幣出金口２２から払い出す制御も行う。メニュー管理部１０６は、入力手段４０を通じて与えられた指令や硬貨鑑別センサ１５、紙幣鑑別センサ２５、包装硬貨鑑別センサ５２の検出結果に従ってメニューを抽出し、該抽出したメニューを表示手段３０に表示させるべく表示制御部１０２に表示データを与えるものである。また、メニュー管理部１０６は、入力手段４０を通じて優先して払い出す金種が予め設定された場合、この設定された金種を含むメニューの表示順位を早くする等、優先表示するための処理を行う。等価判定部１０７は、両替処理を行う場合に硬貨鑑別センサ１５、紙幣鑑別センサ２５、包装硬貨鑑別センサ５２を監視し、これらの鑑別センサによって検出される入出金額が等価であるか否かを判定するものである。開閉制御部１０８は、係合手段６０の係合用電磁ソレノイド６４を駆動することにより、装置本体１に対する包装硬貨収納庫５０の開閉制御を行うものである。報知出力制御部１０９は、報知出力指令が与えられた場合にブザー９０を鳴動させるものである。
【００３８】
（メイン処理）
図６は、上述した制御手段１００が繰り返し実施するメイン処理の内容を示したフローチャートである。以下、このフローチャートを参照しながら、金銭処理装置の動作について説明する。
【００３９】
金銭処理装置が起動している場合、図６に示すように、制御手段１００は、常に入力制御部１０３を通じて入力手段４０からモード切替操作（単体動作指令）が入力されたか否かを監視している（ステップＳ１）。モード切替操作とは、釣銭機としてＰＯＳレジスタ２００に接続された金銭処理装置を両替機として使用する場合に行う操作である。本実施の形態では、予め入力手段４０の一要素として用意された２つの押ボタンスイッチ、具体的には「補充」スイッチ４５と「回収」スイッチ４６とを同時に押圧操作した場合にモード切替操作が入力されたと判断するように設定してある。
【００４０】
モード切替操作が入力されなかった場合（ステップＳ１：Ｎｏ）、制御手段１００は、金銭処理装置を釣銭機として動作させるべく、釣銭モード処理を実施する（ステップＳ１００）。
【００４１】
一方、メイン処理のステップＳ１において入力手段４０からモード切替操作が入力されると（ステップＳ１：Ｙｅｓ）、制御手段１００は、メニュー管理部１０６を通じて両替に際して取り扱う金種を選択するための金種メニューを表示する（ステップＳ２）。金種メニューとは、両替に際して包装硬貨を使用するか否かを表示手段３０の文字表示部３２に表示しても良いし、貨幣のみによる両替メニュー、貨幣と包装硬貨との両替メニュー、包装硬貨と包装硬貨との両替メニューを選択情報として文字表示部３２に切り替え表示するようにしても良い。
【００４２】
制御手段１００は、金種メニューから貨幣のみによる両替処理が選択された場合に貨幣両替モード処理を実施し（ステップＳ３：Ｎｏ→ステップＳ２００）、金種メニューから包装硬貨を使用した両替処理が選択された場合に包装硬貨両替モード処理を実施する（ステップＳ３：Ｙｅｓ→ステップＳ３００）。制御手段１００は、貨幣両替モード処理及び包装硬貨両替モード処理のいずれにおいても、それぞれの処理が終了した場合にモード切替操作をクリアする処理を実施して手順をリターンさせる（ステップＳ４）。従って、次回実施されるステップＳ１においては、新たなモード切替操作が入力されない限り、釣銭モード処理が実施され（ステップＳ１：Ｎｏ→ステップＳ１００）、金銭処理装置が釣銭機として動作することになる。
【００４３】
（釣銭モード処理）
図７は、上述した釣銭モード処理の内容を示すフローチャートである。この釣銭モード処理において制御手段１００は、まず、通信制御部１０１を通じてＰＯＳレジスタ２００からの入金許可指令を監視する（ステップＳ１０１）。ＰＯＳレジスタ２００から入金許可指令が与えられなかった場合、制御手段１００は、手順を後述のステップＳ１０９に移行させる（ステップＳ１０１：Ｎｏ→ステップＳ１０９）。
【００４４】
一方、ＰＯＳレジスタ２００から入金許可指令が与えられた場合（ステップＳ１０１：Ｙｅｓ）、制御手段１００は、入金許可状態となり（ステップＳ１０２）、その後、入出金管理部１０５を通じて硬貨投入口１１及び紙幣投入口２１からの入金を監視する（ステップＳ１０３）。
【００４５】
硬貨投入口１１や紙幣投入口２１からの入金を確認した場合（ステップＳ１０３：Ｙｅｓ）、制御手段１００は、硬貨鑑別センサ１５及び紙幣鑑別センサ２５を通じて投入された貨幣の鑑別を行い（ステップＳ１０４）、入出金管理部１０５を通じて鑑別結果を入金額情報として取得する。尚、入金がなかった場合（ステップＳ１０３：Ｎｏ）、制御手段１００は、ステップＳ１０４を経ることなく手順を進める。
【００４６】
次いで、制御手段１００は、通信制御部１０１を通じてＰＯＳレジスタ２００からの入金額要求があるか否かを監視し（ステップＳ１０５）、入金額要求が与えられた場合（ステップＳ１０５：Ｙｅｓ）、通信制御部１０１を通じて入金額情報をＰＯＳレジスタ２００に送信する処理を実施する（ステップＳ１０６）。尚、入金額要求がない場合（ステップＳ１０５：Ｎｏ）、制御手段１００は、ステップＳ１０６を経ることなく手順を進める。
【００４７】
その後、制御手段１００は、ＰＯＳレジスタ２００からの終了指令受信待機状態となり（ステップＳ１０７）、終了指令を受信するまでの間、上述したステップＳ１０３〜ステップＳ１０７の処理を繰り返し実施する。
【００４８】
上述した状況は、例えば、ＰＯＳレジスタ２００において買い上げ品の登録が終了し、その合計金額以上の貨幣を買い物客から預かったレジ担当者がこれを金銭処理装置に投入した場面である。買い上げ品の登録が終了した時点でＰＯＳレジスタ２００から金銭処理装置の制御手段１００に対して入金許可指令が与えられる。金銭処理装置から入金額情報を受信したＰＯＳレジスタ２００では、（釣銭）＝（入金額）−（買上額）が算出され、釣銭がある場合には釣銭に対応する出金指令が終了指令とともに金銭処理装置に出力されることになる。
【００４９】
ステップＳ１０７においてＰＯＳレジスタ２００から終了指令を受信した金銭処理装置の制御手段１００は（ステップＳ１０７：Ｙｅｓ）、入金禁止状態となる（ステップＳ１０８）。さらに、制御手段１００は、通信制御部１０１を通じてＰＯＳレジスタ２００からの出金指令があるか否かを監視し（ステップＳ１０９）、出金指令が与えられた場合（ステップＳ１０９：Ｙｅｓ）、搬送制御部１０４を介して硬貨収納庫１０や紙幣収納庫２０に収納された貨幣を釣銭として払い出す処理を実施し（ステップＳ１１０）、今回の処理を終了する。尚、硬貨出金口１２や紙幣出金口２２から払い出された貨幣は、レジ担当者により、ＰＯＳレジスタ２００から出力されたレシートとともに買い物客に手渡される。
【００５０】
以降、モード切替操作が実施されるまで、上述した釣銭モード処理が繰り返し実施され、金銭処理装置が釣銭機として適用されることになる。
【００５１】
（貨幣両替モード処理）
図８は、上述した貨幣両替モード処理の内容を示すフローチャートである。この貨幣両替モード処理において制御手段１００は、まず、変数ｎに「１」を代入する処理を実施し（ステップＳ２０１）、その後、入出金管理部１０５を通じて硬貨投入口１１及び紙幣投入口２１からの入金を監視する（ステップＳ２０２）。
【００５２】
硬貨投入口１１や紙幣投入口２１からの入金を確認すると（ステップＳ２０２：Ｙｅｓ）、制御手段１００は、硬貨鑑別センサ１５及び紙幣鑑別センサ２５を通じて投入された貨幣の鑑別を行い、入出金管理部１０５を通じて鑑別結果を入金額情報として取得する（ステップＳ２０３）。さらに、制御手段１００は、入出金管理部１０５を通じて払い出し可能な金種の抽出を行う（ステップＳ２０４）。具体的には、入出金管理部１０５によってメモリ１１０に格納された、現時点で硬貨収納庫１０に収納されている硬貨の金種とその収納数の情報、並びに紙幣収納庫２０に収納されている紙幣の金種とその収納数の情報を読み出す処理を実施し、これらに基づいて払い出し可能な金種を設定する。この場合、予め閾値（≠０）を設定しておき、閾値を下回る収納数の貨幣に関しては、払い出し可能な金種として設定しないようにしても良い。
【００５３】
払い出し可能な金種を抽出した制御手段１００は、これらの金種から入金された貨幣に対して異なる組み合せで等価となる出金金種情報を設定し（ステップＳ２０５）、さらに設定した出金金種情報のうち、ｎ番目の出金金種情報（今回は１番目の出金金種情報）を表示手段３０にメニューとして表示する処理を行い（ステップＳ２０６）、その後、入力手段４０からの入力待ちとなる（ステップＳ２０７、ステップＳ２０８、ステップＳ２０９）。
【００５４】
ここで制御手段１００が設定・表示する出金金種情報は、入金された貨幣に対して金種が異なる組み合せで等価となるものであり、入金された貨幣よりも低額金種の組み合せ（順両替）及び入金された貨幣よりも高額金種の組み合せ（逆両替）の双方となる。順両替及び逆両替のいずれにあっても複数種類の組み合せが存在し、かつ入出金管理部１０５によって払い出し可能な金種として抽出されたものである場合には、それらすべての表示を一つずつ行う。
【００５５】
表示を行う順番については、メニュー管理部１０６を通じて適宜処理し、例えば抽出したすべての出金金種情報を過去の選択頻度順に並べてこれを先頭から順に表示すれば良い。また、予め入力手段４０を通じて優先して払い出す金種が設定された場合、この設定された金種を含むメニューの表示順位を早くするようにしても良い。
【００５６】
図９−１〜図９−３は、それぞれ制御手段１００によって表示制御された出金金種情報の表示例を示したものである。尚、この表示例についてだけは、高額金種から低額金種への等価払い出しを単に「リョウガエ」と記載し、低額金種から高額金種への等価払い出しを「ギャクリョウガエ」と記載して説明を行う。
【００５７】
図９−１は、１０００円紙幣の入金に対して５００円硬貨と１００円硬貨とで等価交換を行うリョウガエの表示例である。この表示例では、まず数値表示部３１に「１０００」を表示することによって入金額が１０００円であることを表示するとともに、文字表示部３２に「ニュウキン  １，０００エン」、「リョウガエ」と表示することにより、１０００円紙幣を低額金種へ等価交換する処理を行うことを示している。また、この表示例では、上述した表示を行った後に数値表示部３１の表示を切り替え、数値表示部３１において５００円硬貨及び１００円硬貨に対応する部位に「○」を表示する一方、他の貨幣に対応する部位に「−」を表示することにより、低額金種が５００円硬貨と１００円硬貨とを含むものであることを示している。
【００５８】
図９−２は、図９−１と同様に、１０００円紙幣の入金に対して５００円硬貨と１００円硬貨とで等価交換を行うリョウガエの表示例であり、切り替え後の表示が異なっている。すなわち、この表示例では、１０００円紙幣を低額金種へ等価交換する処理を行うことを表示した後、切り替え後の表示では、数値表示部３１において５００円硬貨に対応する部位に「１」、１００円硬貨に対応する部位に「５」を表示する一方、他の貨幣に対応する部位に「−」を表示することにより、低額金種が５００円硬貨１枚と１００円硬貨５枚との組み合せであることを示している。こうした表示例によれば、払い出される貨幣の枚数が把握でき、利用者にとって処理される内容がより明確となる。
【００５９】
図９−３は、１０００円紙幣５枚の入金に対して５０００円紙幣１枚で等価交換を行うギャクリョウガエの表示例である。この表示例では、まず数値表示部３１に「５０００」を表示することによって入金額が５０００円であることを表示するとともに、文字表示部３２に「ニュウキン  ５，０００エン」、「ギャクリョウガエ」と表示することにより、１０００円紙幣５枚を高額金種へ等価交換する処理を行うことを示している。また、この表示例では、上述した表示を行った後に数値表示部３１の表示を切り替え、数値表示部３１において５０００円紙幣に対応する部位に「○」を表示する一方、他の貨幣に対応する部位に「−」を表示することにより、高額金種が５０００円紙幣であることを示している。
【００６０】
上述の切り替え表示が行われている間、図８に示す貨幣両替モード処理において、「実行」スイッチ４３がＯＮ操作されると（ステップＳ２０７：Ｙｅｓ）、制御手段１００は、表示していた貨幣の組み合せによる両替を実施し（ステップＳ２１０）、手順をリターンさせる。両替が実施されると、入出金管理部１０５を通じて硬貨収納庫１０及び紙幣収納庫２０から該当する貨幣が搬出され、装置本体１の硬貨出金口１２や紙幣出金口２２に払い出されることになる。
【００６１】
これに対して切り替え表示が行われている間に「△」スイッチ４１もしくは「▽」スイッチ４２がＯＮ操作されると（ステップＳ２０９：Ｙｅｓ）、制御手段１００は、変数ｎをインクリメント、もしくはデクリメントし（ステップＳ２１２）、手順をステップＳ２０２に移行させる。その後手順がステップＳ２０４→Ｓ２０５→Ｓ２０６に移行するため、２番目の出金金種情報が表示手段３０に表示されることになる。図９−１に示すリョウガエの例では、「▽」スイッチ４２がＯＮ操作された場合、例えば１０００円紙幣の入金に対して１００円硬貨１０枚で等価交換を行うリョウガエの表示が行われる。
【００６２】
尚、切り替え表示が行われている間に「取消」スイッチ４４をＯＮ操作すると（ステップＳ２０８：Ｙｅｓ）、制御手段１００は、投入された貨幣の合計金額に相当する貨幣を硬貨出金口１２や紙幣出金口２２から払い出す処理を実施し（ステップＳ２１１）、手順をリターンさせる。
【００６３】
以降、モード切替操作を実施した後、貨幣のみによる両替メニューを選択し、硬貨投入口１１や紙幣投入口２１から貨幣を投入すれば、両替を行うことが可能となる。この場合、上記金銭処理装置によれば、入金された貨幣に対して払い出される貨幣の金種を表示するようにしているため、順両替や逆両替という用語に左右されることなく、利用者の実施したい処理を容易に、かつ確実に選択することができ、利用者に不信感や煩雑感を与える恐れがない。また、投入した貨幣の数に応じて自動的に順両替及び逆両替が決定されることもないため、例えば複数枚の紙幣を低額硬貨に順両替する場合にもこれをきわめて効率良く行うことができるようになる。
【００６４】
尚、出金金種情報としては、図９−１〜図９−３に示したものに限らず、その他の表示を行っても構わない。例えば図１０−１〜図１０−３に示す表示例では、両替によって払い出される貨幣が硬貨のみによるものか、紙幣のみによるものか、硬貨と紙幣との組み合わせによるものかを表示するようにしている。
【００６５】
具体的に説明すると、図１０−１は、１０００円紙幣の入金に対して硬貨のみの等価交換を行うリョウガエの表示例である。この表示例では、まず数値表示部３１に「１０００」を表示することによって入金額が１０００円であることを表示するとともに、文字表示部３２に「ニュウキン  １，０００エン」、「リョウガエ  Ｃｏｉｎ」と表示することにより、１０００円を硬貨のみによって等価交換するリョウガエを行うことを示している。また、この表示例では、上述した表示を行った後に数値表示部３１の表示を切り替え、数値表示部３１に「ＣｏＩｎ」を表示することにより、１０００円を硬貨のみにリョウガエすることを示している。
【００６６】
図１０−２は、５０００円紙幣の入金に対して紙幣のみの等価交換を行うリョウガエの表示例である。この表示例では、まず数値表示部３１に「５０００」を表示することによって入金額が５０００円であることを表示するとともに、文字表示部３２に「ニュウキン  ５，０００エン」、「リョウガエ  ＢＩＬＬ」と表示することにより、５０００円を紙幣のみによって等価交換する処理を行うことを示している。また、この表示例では、上述した表示を行った後に数値表示部３１の表示を切り換え、数値表示部３１に「ｂＩＬＬ」と表示することにより、５０００円を紙幣のみにリョウガエを行うことを示している。
【００６７】
図１０−３は、１００００円紙幣の入金に対して硬貨と紙幣との組み合わせによる等価交換を行うリョウガエの表示例である。この表示例では、まず数値表示部３１に「１００００」と表示することによって入金額が１００００円であることを表示するとともに、文字表示部３２に「ニュウキン  １０，０００エン」、「リョウガエ  ＢＩＬＬ＋Ｃｏｉｎ」と表示することにより、１００００円を硬貨と紙幣との組み合せによって等価交換するリョウガエを行うことを示している。また、この表示例では、上述した表示を行った後に数値表示部３１に「ｂＩＬＬ  ＣｏＩｎ」と表示することにより、１００００円を硬貨と紙幣との組み合わせによってリョウガエすることを示している。
【００６８】
（元金払い出し処理）
一方、図８に示した貨幣両替モード処理のステップＳ２０２において入金を確認せず、しかも今回の貨幣両替モード処理において入金が一度もなかった場合であって（ステップＳ２０２：Ｎｏ→ステップＳ２１３：Ｙｅｓ）、さらにステップＳ２０９において「△」スイッチ４１もしくは「▽」スイッチ４２がＯＮ操作され、ステップＳ２１２において変数ｎをインクリメント、もしくはデクリメントすることにより、表示メニューとして出金が指定されていた場合、制御手段１００は、表示手段３０に出金メニューを表示し（ステップＳ２１４）、その後、入力待ちとなる（ステップＳ２１５、ステップＳ２１６）。この状態から「実行」スイッチ４３をＯＮ操作すると（ステップＳ２１５：Ｙｅｓ）、制御手段１００は、元金払い出し処理を実施する（ステップＳ２５０）。尚、ステップＳ２１３、ステップＳ２１４及びステップＳ２１５においてすべてがＮｏの場合、制御手段１００は、元金払い出し処理を行うことなく手順をステップＳ２０４に進める。
【００６９】
図１１−１は、上述した出金メニューの表示例である。この表示例では、まず数値表示部３１に「５０００」を表示することによって出金額が５０００円であることを表示するとともに、文字表示部３２に「モトキンハライダシ」、「リョウガエ  ５０００エン」と表示することにより、５０００円をリョウガエの元金として払い出すことを示している。また、この表示例では、上述した表示を行った後に数値表示部３１の表示を切り換え、数値表示部３１において５０００円紙幣に対応する部位に「○」を表示する一方、他の貨幣に対応する部位に「−」を表示することにより、払い出す金種が５０００円紙幣であることを示している。これらのいずれかが表示された状態において「実行」スイッチ４３がＯＮ操作された場合、出金指令が入力されたと判断する。
【００７０】
図１２は、上述した元金払い出し処理の内容を示すフローチャートである。この元金払い出し処理において制御手段１００は、まず、選択した払い出し金額を了解するか否かの入力待ちとなり（ステップＳ２５１）、「実行」スイッチ４３がＯＮ操作された場合（ステップＳ２５１：Ｙｅｓ）、入出金管理部１０５を通じて指令金額に対応する貨幣を硬貨出金口１２及び紙幣出金口２２から払い出す処理を行う（ステップＳ２５２）。その後、制御手段１００は、入出金管理部１０５を通じて硬貨投入口１１及び紙幣投入口２１からの入金を監視する（ステップＳ２５３）。
【００７１】
図１１−２は、硬貨出金口１２や紙幣出金口２２から元金を払い出した後の表示手段３０を表示例を示したものである。この表示例では、数値表示部３１に「−５０００」を表示することにより５０００円を入金した時点で収支がゼロとなることを表示するとともに、文字表示部３２に「モトキンニュウキン」、「リョウガエ  −５０００エン」と表示するようにしている。
【００７２】
図１２に示すステップＳ２５３において硬貨投入口１１や紙幣投入口２１からの入金を確認すると（ステップＳ２５３：Ｙｅｓ）、制御手段１００は、硬貨鑑別センサ１５及び紙幣鑑別センサ２５を通じて投入された貨幣の鑑別を行い（ステップＳ２５４）、さらに入出金管理部１０５を通じて（入金額）−（出金額）を算出し、この算出結果を表示手段３０の数値表示部３１に表示する処理を行うとともに（ステップＳ２５５）、等価判定部１０７を通じて（入金額）＝（出金額）であるか否かを判断する（ステップＳ２５６）。（入金額）≠（出金額）である場合（ステップＳ２５６：Ｎｏ）、制御手段１００は、手順をステップＳ２５３に移行し、再び硬貨投入口１１及び紙幣投入口２１からの入金を監視する。
【００７３】
図１１−３は、硬貨投入口１１や紙幣投入口２１から入金した途中の表示例を示したものである。この表示例では、５０００円の元金払い出しに対して３０００円を入金した状態のものである。硬貨投入口１１や紙幣投入口２１から３０００円分の貨幣を投入すると、入金管理部によって３０００−５０００＝−２０００が算出され、この算出結果が数値表示部３１に「−２０００」と表示されることになる。文字表示部３２の表示も「モトキンニュウキン」、「リョウガエ  −２０００エン」となる。
【００７４】
図１２に示すステップＳ２５６において（入金額）＝（出金額）となると（ステップＳ２５６：Ｙｅｓ）、制御手段１００は、今回の元金払い出し処理を終了し、手順をリターンさせる。
【００７５】
図１１−４は、図１１−３に示す表示例から２０００円の貨幣を入金した状態を示すもので、数値表示部３１の表示が「０」となり、文字表示部３２の表示も「モトキンニュウキン」、「リョウガエ  −０エン」となって収支が合ったことを認識することができる。
【００７６】
上述した状況は、例えば、ＰＯＳレジスタ２００に接続した金銭処理装置の相互間において両替を行う場合に、釣銭の不足した金銭処理装置から順両替を行うために必要となる元金（高額金種）を先に出金する場面である。上記のようにして出金した元金を隣接するＰＯＳレジスタ２００の金銭処理装置に入金し、順両替を行えば、出金した高額金種の元金を釣銭となる低額金種に等価交換することができるようになる。さらに、上述した元金払い出し処理においては、釣銭となった低額金種のすべてを元の金銭処理装置に入金しない限り元金払い出し処理が終了しない。従って、先に元金を出金した金銭処理装置に対して入金を忘れたり、入金が不足する事態を防止することが可能となる。
【００７７】
尚、ステップＳ２５７において「取消」スイッチ４４をＯＮ操作すれば、上述した処理を行うことなく手順がリターンされ、一旦選択した元金払い出し処理をキャンセルすることができる。
【００７８】
（包装硬貨両替モード処理）
図１３は、メイン処理のステップＳ２において金種メニューが表示された後、包装硬貨を使用した両替処理が選択された場合に制御手段１００が実施する包装硬貨両替モード処理の内容を示したフローチャートである。
【００７９】
包装硬貨両替モード処理において制御手段１００は、入出金管理部１０５を通じて硬貨投入口１１及び紙幣投入口２１からの入金を監視し（ステップＳ３０１）、さらにメニュー表示を行い（ステップＳ３０２）、貨幣による入金待ち及び入力手段４０を通じた指令入力待ちとなる（ステップＳ３０１：Ｎｏ→ステップＳ３０２→ステップＳ３０３：Ｎｏ→ステップＳ３０４：Ｎｏ→ステップＳ３０５：Ｎｏ→ステップＳ３０１）。
【００８０】
上記の状態において硬貨投入口１１や紙幣投入口２１からの入金を確認すると（ステップＳ３０１：Ｙｅｓ）、制御手段１００は、硬貨鑑別センサ１５及び紙幣鑑別センサ２５を通じて投入された貨幣の鑑別を行い（ステップＳ３０６）、その後、開閉制御部１０８を通じて係合用電磁ソレノイド６４を励磁し、係合手段６０を解除する処理を行う（ステップＳ３０７）。この結果、押圧手段７０の押圧力により、包装硬貨収納庫５０が装置本体１に対して押し出され、その内部を開放して包装硬貨を出し入れすることが可能となる。
【００８１】
係合手段６０を解除した制御手段１００は、さらに包装硬貨鑑別センサ５２の検出結果により入出金管理部１０５を通じて包装硬貨収納庫５０に対する包装硬貨の入出金を監視する（ステップＳ３０８）。さらに制御手段１００は、入出金管理部１０５を通じて（入金額）−（出金額）を算出し、この算出結果を表示手段３０の数値表示部３１に表示する処理を行う一方（ステップＳ３０９）、開閉検知センサ８０を通じて包装硬貨収納庫５０が閉塞されたか否かを監視する（ステップＳ３１０）。包装硬貨収納庫５０が開放されている場合には（ステップＳ３１０：Ｎｏ）、依然として包装硬貨収納庫５０に対し包装硬貨を出し入れすることが可能であり、上述したステップＳ３０８、ステップＳ３０９の処理を繰り返し実施する。
【００８２】
これに対し開閉検知センサ８０を通じて包装硬貨収納庫５０が閉塞されたことを検知すると（ステップＳ３１０：Ｙｅｓ）、制御手段１００は、入出金管理部１０５を通じて包装硬貨収納庫５０を開放した時点から閉塞した時点までの包装硬貨の出金額を算出するとともに、この算出した出金額と入金額とを比較する（ステップＳ３１１）。
【００８３】
入金額と出金額とが一致した場合（ステップＳ３１１：Ｙｅｓ）、制御手段１００は、開閉制御部１０８を通じて係合手段６０を有効化し（ステップＳ３１２）、さらに報知出力がある場合に報知出力制御部１０９を通じてこれを停止し（ステップＳ３１３：Ｙｅｓ→ステップＳ３１４）、その後に手順をリターンさせる。
【００８４】
係合手段６０の有効化とは、係合用電磁ソレノイド６４を消磁した状態に保持する処理である。この結果、固定フック６１と可動フック６２とが係合した状態となり、包装硬貨収納庫５０が閉塞した状態に保持される。さらに、ブザー９０が鳴動することはなく、金銭処理装置が通常状態に復帰することになる。
【００８５】
これに対して入金額と出金額とが一致しない場合（ステップＳ３１１：Ｎｏ）、制御手段１００は、開閉制御部１０８を通じて係合手段６０を無効化し（ステップＳ３１５）、さらに報知出力制御部１０９を通じてブザー９０を鳴動させるとともに、無効化した原因を文字表示部３２に表示する処理を行う（ステップＳ３１６）。
【００８６】
係合手段６０の無効化とは、例えば係合用電磁ソレノイド６４を励磁した状態に保持する処理である。無効化した場合に表示する原因としては、例えば「シュッキンガクガフソクシテイマス」、「ニュウキンガクガフソクシテマス」等々、利用者がこれを認識して訂正することのできる具体的なものであることが好ましい。
【００８７】
これらの結果、装置本体１に対して閉塞された包装硬貨収納庫５０は、押圧手段７０の押圧力によって押し出された状態となり、さらにはブザー９０の鳴動や表示手段３０の表示により、入金額に対して包装硬貨による出金額が一致していないことを認識することができるようになる。
【００８８】
次いで制御手段１００は、入出金管理部１０５を通じて入金額と出金額とを比較し、出金額に対して入金額が大きいか否かを判断する（ステップＳ３１７）。出金額に対して入金額が大きい場合（ステップＳ３１７：Ｙｅｓ）、制御手段１００は、利用者に対して貨幣による出金がＯＫか否かのメニュー表示を行い（ステップＳ３１８）、その後、入力を待つ。
【００８９】
利用者が貨幣による出金をＯＫした場合（ステップＳ３１８：Ｙｅｓ）、制御手段１００は、入金額と出金額との差額に相当する貨幣を払い出す処理を実施し（ステップＳ３１９）、その後、手順をステップＳ３１２に移行させる。すなわち、係合手段６０が有効化され（ステップＳ３１２）、さらに、ブザー９０が鳴動している場合、報知出力制御部１０９を通じてこれを停止し（ステップＳ３１３：Ｙｅｓ→ステップＳ３１４）、その後に手順をリターンさせる処理が行われる。この結果、包装硬貨収納庫５０を押し入れれば、固定フック６１と可動フック６２とが係合した状態となり、包装硬貨収納庫５０が閉塞した状態に保持され、かつブザー９０の鳴動が停止し、金銭処理装置が通常状態に復帰することになる。
【００９０】
尚、出金額に対して入金額が小さい場合（ステップＳ３１７：Ｎｏ）、あるいは出金額に対して入金額が大きいが利用者が貨幣による出金をＯＫしなかった場合（ステップＳ３１７：Ｙｅｓ→ステップＳ３１８：Ｎｏ）、制御手段１００は、いずれも手順をステップＳ３０８に移行させる。この状態においては、ステップＳ３０９において再び（入金額）−（出金額）が表示されるため、取りすぎた包装硬貨を包装硬貨収納庫５０に返却する、あるいは不足している出金額を包装硬貨によって取り出すことで、入金額と出金額とを一致させることができる。
【００９１】
（包装硬貨⇔包装硬貨両替処理）
一方、包装硬貨両替モード処理のステップＳ３０２で表示されたメニューから利用者が包装硬貨と包装硬貨との間の両替を選択した場合（ステップＳ３０３：Ｙｅｓ）、制御手段１００は、手順をステップＳ３０７に移行させる処理を行う。すなわち、開閉制御部１０８を通じて係合用電磁ソレノイド６４を励磁することにより係合手段６０を解除し（ステップＳ３０７）、その後、上述と同様の処理を実施する。この結果、先と同様、押圧手段７０の押圧力により、包装硬貨収納庫５０が装置本体１に対して押し出され、その内部を開放して包装硬貨を出し入れすることが可能となる。従って、開放された包装硬貨収納庫５０に対して利用者が包装硬貨を出し入れすれば、その収支がステップＳ３０９において表示手段３０に表示されることになる。収支が合ってない状態において包装硬貨収納庫５０を閉塞させれば、上述したように、係合手段６０が無効化されて押し出されるとともに、ブザー９０が鳴動してこれを報知することになる。これにより、表示手段３０の表示により入金額と出金額との差額を確認し、これが一致した時点で包装硬貨収納庫５０を閉塞させれば、閉塞状態を維持するとともに、ブザー９０の鳴動が停止することでこれを認識することができるようになり、包装硬貨を適用した両替処理を容易、かつ確実に実施できる。
【００９２】
図１４−１は、包装硬貨と包装硬貨との間の両替を実施する場合に選択するメニューの表示例を示したものである。尚、以下の表示例においては包装硬貨を「ボウキン」として説明する。この表示例では、文字表示部３２に「ボウキン→ボウキン」、「リョウガエ」と表示することにより、包装硬貨と包装硬貨との間の両替であることを示している。この場合、数値表示部３１には「０」が表示してあり、まだ入出金されていないことを示している。
【００９３】
この状態から例えば５００円硬貨を５０枚包装した５００円包装硬貨を包装硬貨収納庫５０から取り出すと、図１４−２に示すように、数値表示部３１に「−２５０００」と表示し、２５０００円の出金があったことを表示する。
【００９４】
この状態から１００円硬貨を５０枚包装した１００円包装硬貨を包装硬貨収納庫５０に３本追加すると、図１４−３に示すように、数値表示部３１の表示が「−１００００」に更新される。さらに、１００円包装硬貨を包装硬貨収納庫５０に２本追加すれば、収支が合うことになり、図１４−４に示すように、数値表示部３１の表示が「０」となる。尚、１００円包装硬貨を１本追加しすぎた場合には、図１４−５に示すように、数値表示部３１が「＋５０００」となり、５０００円分超過であることが認識できるようになる。
【００９５】
（包装硬貨→貨幣両替処理）
次に、包装硬貨両替モード処理のステップＳ３０２で表示されたメニューから利用者が包装硬貨から貨幣への両替処理を選択した場合（ステップＳ３０４：Ｙｅｓ）、制御手段１００は、包装硬貨→貨幣両替処理を実施する（ステップＳ３５０）。
【００９６】
図１５は、制御手段１００が実施する包装硬貨→貨幣両替処理の内容を示すフローチャートである。包装硬貨→貨幣両替処理において制御手段１００は、開閉制御部１０８を通じて係合用電磁ソレノイド６４を励磁し、係合手段６０を解除する処理を行う（ステップＳ３５１）。この結果、押圧手段７０の押圧力により、包装硬貨収納庫５０が装置本体１に対して押し出され、その内部を開放して包装硬貨を出し入れすることが可能となる。
【００９７】
係合手段６０を解除した制御手段１００は、さらに包装硬貨鑑別センサ５２の検出結果により入出金管理部１０５を通じて包装硬貨収納庫５０に対する包装硬貨の入金を監視し（ステップＳ３５２）、さらに表示手段３０に入金額を表示する処理を行い（ステップＳ３５３）、その後、開閉検知センサ８０を通じて包装硬貨収納庫５０が閉塞されたか否かを監視する（ステップＳ３５４）。包装硬貨収納庫５０が開放されている場合には（ステップＳ３５４：Ｎｏ）、依然として包装硬貨収納庫５０に対し包装硬貨を出し入れすることが可能であり、上述したステップＳ３５２及びステップＳ３５３の処理を繰り返し実施する。
【００９８】
これに対し開閉検知センサ８０を通じて包装硬貨収納庫５０が閉塞されたことを検知すると（ステップＳ３５４：Ｙｅｓ）、制御手段１００は、入出金管理部１０５を通じて包装硬貨収納庫５０に対する入金額がゼロでないか否かを確認する（ステップＳ３５５）。包装硬貨による入金額がゼロの場合（ステップＳ３５５：Ｎｏ）、制御手段１００は、以降の処理を実施することなく今回の包装硬貨→貨幣両替処理を終了し、手順をリターンさせる。
【００９９】
一方、包装硬貨収納庫５０が開放されてから閉塞されるまでの間の包装硬貨の入金額がゼロでない場合（ステップＳ３５５：Ｙｅｓ）、制御手段１００は、変数ｍに「１」を代入する処理を実施し（ステップＳ３５６）、その後、入出金管理部１０５を通じて払い出し可能な金種の抽出を行う（ステップＳ３５７）。具体的には、入出金管理部１０５によってメモリ１１０に格納された、現時点で硬貨収納庫１０に収納されている硬貨の金種とその収納数の情報、並びに紙幣収納庫２０に収納されている紙幣の金種とその収納数の情報を読み出す処理を実施し、これらに基づいて払い出し可能な金種を設定する。この場合、予め閾値（≠０）を設定しておき、閾値を下回る収納数の貨幣に関しては、払い出し可能な金種として設定しないようにしても良い。
【０１００】
払い出し可能な金種を抽出した制御手段１００は、これらの金種から入金された貨幣に対して異なる組み合せで等価となる出金金種情報を設定し（ステップＳ３５８）、さらに設定した出金金種情報のうち、ｍ番目の出金金種情報（今回は１番目の出金金種情報）を表示手段３０にメニューとして表示する処理を行い（ステップＳ３５９）、入力手段４０からの入力待ちとなる（ステップＳ３６０、ステップＳ３６１）。
【０１０１】
ここで制御手段１００が設定・表示する出金金種情報は、入金された貨幣に対して金種が異なる組み合せで等価となるものであり、入金された貨幣よりも低額金種の組み合せ（順両替）及び入金された貨幣よりも高額金種の組み合せ（逆両替）の双方となる。順両替及び逆両替のいずれにあっても複数種類の組み合せが存在し、かつ入出金管理部１０５によって払い出し可能な金種として抽出されたものである場合には、それらすべての表示を行う。
【０１０２】
表示を行う順番については、メニュー管理部１０６を通じて適宜処理し、例えば抽出したすべての出金金種情報を過去の選択頻度順に並べてこれを先頭から順に表示すれば良い。また、予め入力手段４０を通じて優先して払い出す金種が設定された場合、この設定された金種を含むメニューの表示順位を早くするようにしても良い。
【０１０３】
表示手段３０のメニュー表示は、表示された処理を選択するべく「実行」スイッチ４３をＯＮ操作するか（ステップＳ３６０：Ｙｅｓ）、他の出金金種情報を表示させるべく「△」スイッチ４１もしくは「▽」スイッチ４２をＯＮ操作するまで（ステップＳ３６１：Ｙｅｓ）、継続して表示される（ステップＳ３６０：Ｎｏ→ステップＳ３６１：Ｎｏ→ステップＳ３６０）。
【０１０４】
上述のメニュー表示が行われている間に「△」スイッチ４１もしくは「▽」スイッチ４２がＯＮ操作されると（ステップＳ３６１：Ｙｅｓ）、制御手段１００は、変数ｍをインクリメントし（ステップＳ３６２）、その後、手順をステップＳ３５９に移行させる。この結果、表示手段３０に２番目の出金金種情報が表示されることになる。
【０１０５】
これに対してメニュー表示が行われている間、「実行」スイッチ４３がＯＮ操作されると（ステップＳ３６０：Ｙｅｓ）、制御手段１００は、表示していた貨幣の組み合せによる両替を実施し（ステップＳ３６３）、手順をリターンさせる。両替が実施されると、入出金管理部１０５を通じて硬貨収納庫１０及び紙幣収納庫２０から該当する貨幣が搬出され、装置本体１の硬貨出金口１２や紙幣出金口２２に払い出されることになる。
【０１０６】
尚、上述した実施の形態では、１つの制御手段１００によって硬貨、紙幣、包装硬貨の入出金を集中制御するようにしているが、本発明は必ずしもこれに限定されない。例えば図１６の変形例に示すように、硬貨処理部、紙幣処理部及び包装硬貨処理部がそれぞれ専用の制御手段１００Ａ，１００Ｂ，１００Ｃを備えるように構成することも可能である。さらに、硬貨処理部、紙幣処理部及び包装硬貨処理部をそれぞれ個別の筐体に収容し、硬貨処理部に対して紙幣処理部や包装硬貨処理部を着脱可能に接続させれば、硬貨処理部のみを備えた金銭処理装置や硬貨処理部と包装硬貨処理部とから成る金銭処理装置を構成することも可能となる。尚、図１６の変形例において上述した実施の形態と同様の構成に関しては、同一の符号を付してある。
【図面の簡単な説明】
【０１０７】
【図１−１】本発明の実施の形態である金銭処理装置の外観を示す平面図である。
【図１−２】図１に示した金銭処理装置の正面図である。
【図２】図１に示した金銭処理装置に適用される表示手段及び入力手段の拡大図である。
【図３】図１に示した金銭処理装置に適用される包装硬貨収納庫の斜視図である。
【図４−１】図３に示した包装硬貨収納庫と装置本体との間に構成される係合手段の概念図であり、解除された状態の図である。
【図４−２】図３に示した包装硬貨収納庫と装置本体との間に構成される係合手段の概念図であり、係合された状態の図である。
【図５】図１に示した金銭処理装置の制御系を示すブロック図である。
【図６】図５に示した制御手段が実施するメイン処理の内容を示すフローチャートである。
【図７】図６に示した釣銭モード処理の内容を示すフローチャートである。
【図８】図６に示した貨幣両替モード処理の内容を示すフローチャートである。
【図９−１】図５に示した制御手段によって表示制御された出金金種情報の表示例を示す図である。
【図９−２】図５に示した制御手段によって表示制御された出金金種情報の表示例を示す図である。
【図９−３】図５に示した制御手段によって表示制御された出金金種情報の表示例を示す図である。
【図１０−１】図５に示した制御手段によって表示制御された出金金種情報の表示例を示す図である。
【図１０−２】図５に示した制御手段によって表示制御された出金金種情報の表示例を示す図である。
【図１０−３】図５に示した制御手段によって表示制御された出金金種情報の表示例を示す図である。
【図１１−１】図５に示した制御手段によって表示制御された出金メニューの表示例を示す図である。
【図１１−２】図５に示した制御手段によって表示制御された出金メニューの表示例を示す図である。
【図１１−３】図５に示した制御手段によって表示制御された出金メニューの表示例を示す図である。
【図１１−４】図５に示した制御手段によって表示制御された出金メニューの表示例を示す図である。
【図１２】図８に示した元金払い出し処理の内容を示すフローチャートである。
【図１３】図６に示した包装硬貨両替モード処理の内容を示すフローチャートである。
【図１４−１】図５に示した制御手段によって表示制御された包装硬貨⇔包装硬貨両替処理を実施する場合に選択するメニューの表示例を示す図である。
【図１４−２】図５に示した制御手段によって表示制御された包装硬貨⇔包装硬貨両替処理を実施する場合に選択するメニューの表示例を示す図である。
【図１４−３】図５に示した制御手段によって表示制御された包装硬貨⇔包装硬貨両替処理を実施する場合に選択するメニューの表示例を示す図である。
【図１４−４】図５に示した制御手段によって表示制御された包装硬貨⇔包装硬貨両替処理を実施する場合に選択するメニューの表示例を示す図である。
【図１４−５】図５に示した制御手段によって表示制御された包装硬貨⇔包装硬貨両替処理を実施する場合に選択するメニューの表示例を示す図である。
【図１５】図１３に示した包装硬貨→貨幣領外処理の内容を示すフローチャートである。
【図１６】図１に示した金銭処理装置の変形例となる制御系を示すブロック図である。
【符号の説明】
【０１０８】
１      装置本体
１０      硬貨収納庫
１１      硬貨投入口
１２      硬貨出金口
１５      硬貨鑑別センサ
２０      紙幣収納庫
２１      紙幣投入口
２２      紙幣出金口
２５      紙幣鑑別センサ
３０      表示手段
３１      数値表示部
３２      文字表示部
４０      入力手段
５０      包装硬貨収納庫
５２      包装硬貨鑑別センサ
６０      係合手段
６１      固定フック
６２      可動フック
６４      係合用電磁ソレノイド
７０      押圧手段
８０      開閉検知センサ
９０      ブザー
１００      制御手段
【図１−１】
2010039585.tif 000003
【図１−２】
2010039585.tif 000004
【図２】
2010039585.tif 000005
【図３】
2010039585.tif 000006
【図４−１】
2010039585.tif 000007
【図４−２】
2010039585.tif 000008
【図５】
2010039585.tif 000009
【図６】
2010039585.tif 000010
【図７】
2010039585.tif 000011
【図８】
2010039585.tif 000012
【図９−１】
2010039585.tif 000013
【図９−２】
2010039585.tif 000014
【図９−３】
2010039585.tif 000015
【図１０−１】
2010039585.tif 000016
【図１０−２】
2010039585.tif 000017
【図１０−３】
2010039585.tif 000018
【図１１−１】
2010039585.tif 000019
【図１１−２】
2010039585.tif 000020
【図１１−３】
2010039585.tif 000021
【図１１−４】
2010039585.tif 000022
【図１２】
2010039585.tif 000023
【図１３】
2010039585.tif 000024
【図１４−１】
2010039585.tif 000025
【図１４−２】
2010039585.tif 000026
【図１４−３】
2010039585.tif 000027
【図１４−４】
2010039585.tif 000028
【図１４−５】
2010039585.tif 000029
【図１５】
2010039585.tif 000030
【図１６】
2010039585.tif 000031